【手続補正書】
【提出日】平成18年11月6日(2006.11.6)
【手続補正１】
【補正対象書類名】特許請求の範囲
【補正対象項目名】全文
【補正方法】変更
【補正の内容】
【特許請求の範囲】
【請求項１】
パケット交換を行うコアネットワークと、無線制御装置とを有し、
第１の通信サービスのための第１のシグナリングコネクション及び第２の通信サービスのための第２のシグナリングコネクションが前記コアネットワークと前記無線制御装置との間のインタフェースに設定され、
前記第２の通信サービスが前記第１の通信サービスよりも高速であり、
前記第２のシグナリングコネクションが前記第１のシグナリングコネクションから区別して設定されることを特徴とする移動通信システム。
【請求項２】
更に複数の移動端末を有し、前記第２のシグナリングコネクションが前記複数の移動端末で共有されることを特徴とする請求項１記載の移動通信システム。
【請求項３】
前記第２の通信サービスがマルチメディア・ブロードキャスト・マルチキャスト・サービス（ＭＢＭＳ）であることを特徴とする請求項１または２記載の移動通信システム。
【請求項４】
前記第１の通信サービスがパケット交換サービス（ＰＳ）であることを特徴とする請求項１〜３いずれか記載の移動通信システム。
【請求項５】
前記第１のシグナリングコネクションがＰＳ  Ｉｕコネクションであることを特徴とする請求項４記載の移動通信システム。
【請求項６】
前記第１の通信サービスが回線交換サービス（ＣＳ）であることを特徴とする請求項１〜３いずれか記載の移動通信システム。
【請求項７】
前記第２のシグナリングコネクションが、前記複数の移動端末がどれも第２のサービスを受けていない場合に、前記複数の移動端末の一台からの“Ｊｏｉｎｉｎｇ”要求に応答して設定されることを特徴とする請求項２記載の移動通信システム。
【請求項８】
前記第２のシグナリングコネクションが、前記複数の移動端末のうちの唯一台が第２のサービスを受けている場合に、前記複数の移動端末の前記一台からの“Ｌｅａｖｉｎｇ”要求に応答して開放されることを特徴とする請求項２記載の移動通信システム。
【請求項９】
パケット交換を行うコアネットワークと、無線制御装置とを有する移動通信システムで使用される移動通信方法であって、
第１の通信サービスのための第１のシグナリングコネクションを前記コアネットワークと前記無線制御装置との間のインタフェースに設定する工程と、
第２の通信サービスのための第２のシグナリングコネクションを前記第１のシグナリングコネクションから区別して前記インタフェースに設定する工程とを有し、
前記第２の通信サービスが前記第１の通信サービスよりも高速であることを特徴とする移動通信方法。
【請求項１０】
前記移動通信システムが更に複数の移動端末を有し、前記第２のシグナリングコネクションが前記複数の移動端末で共有されることを特徴とする請求項９記載の移動通信方法。
【請求項１１】
前記第２の通信サービスがマルチメディア・ブロードキャスト・マルチキャスト・サービス（ＭＢＭＳ）であることを特徴とする請求項９または１０記載の移動通信方法。
【請求項１２】
前記第１の通信サービスがパケット交換サービス（ＰＳ）であることを特徴とする請求項９〜１１いずれか記載の移動通信方法。
【請求項１３】
前記第１のシグナリングコネクションがＰＳ  Ｉｕコネクションであることを特徴とする請求項１２記載の移動通信方法。
【請求項１４】
前記第１の通信サービスが回線交換サービス（ＣＳ）であることを特徴とする請求項９または１０記載の移動通信方法。
【請求項１５】
前記第２のシグナリングコネクションが、前記複数の移動端末がどれも第２のサービスを受けていない場合に、前記複数の移動端末の一台からの“Ｊｏｉｎｉｎｇ”要求に応じて設定されることを特徴とする請求項１０記載の移動通信方法。
【請求項１６】
前記第２のシグナリングコネクションを、前記複数の移動端末のうちの唯一台が第２のサービスを受けている場合に、前記複数の移動端末の前記一台からの“Ｌｅａｖｉｎｇ”要求に応じて開放する工程を有することを特徴とする請求項１０記載の移動通信方法。
【請求項１７】
パケット交換を行うコアネットワークと、無線制御装置とを有し、
第１の通信サービスのための第１のシグナリングコネクション及び第２の通信サービスのための第２のシグナリングコネクションが前記コアネットワークと前記無線制御装置との間のインタフェースに設定され、
前記第２の通信サービスが前記第１の通信サービスよりも高速であり、
前記コアネットワークが前記無線制御装置に対する前記第２のシグナリングコネクションの確立を要求することを特徴とする移動通信システム。
【請求項１８】
パケット交換を行うコアネットワークと、無線制御装置とを有し、
第１の通信サービスのための第１のシグナリングコネクション及び第２の通信サービスのための第２のシグナリングコネクションが前記コアネットワークと前記無線制御装置との間のインタフェースに設定され、
前記第２の通信サービスが前記第１の通信サービスよりも高速であり、
前記コアネットワークがＳＧＳＮ（ｓｅｒｖｉｎｇ  ＧＰＲＳ（ｇｌｏｂａｌ  ｐａｃｋｅｔ  ｒａｄｉｏ  ｓｅｒｖｉｃｅ）ｓｕｐｐｏｒｔ  ｎｏｄｅ）を有し、
前記ＳＧＳＮが前記第２のシグナリングコネクションを管理することを特徴とする移動通信システム。
【請求項１９】
パケット交換を行うコアネットワークと無線制御装置とを有する移動通信システムで使用される移動通信方法であって、
第１の通信サービスのための第１のシグナリングコネクションを前記コアネットワークと前記無線制御装置との間のインタフェースに設定する工程と、
第２の通信サービスのための第２のシグナリングコネクションを前記インタフェースに設定する工程とを有し、
前記第２の通信サービスが前記第１の通信サービスよりも高速であり、
前記コアネットワークが前記無線制御装置に対する前記第２のシグナリングコネクションの確立を要求することを特徴とする移動通信方法。
【請求項２０】
パケット交換を行うコアネットワークと無線制御装置とを有する移動通信システムで使用される移動通信方法であって、
第１の通信サービスのための第１のシグナリングコネクションを前記コアネットワークと前記無線制御装置との間のインタフェースに設定する工程と、
第２の通信サービスのための第２のシグナリングコネクションを前記インタフェースに設定する工程とを有し、
前記第２の通信サービスが前記第１の通信サービスよりも高速であり、
前記コアネットワークがＳＧＳＮ（ｓｅｒｖｉｎｇ  ＧＰＲＳ（ｇｌｏｂａｌ  ｐａｃｋｅｔ  ｒａｄｉｏ  ｓｅｒｖｉｃｅ）ｓｕｐｐｏｒｔ  ｎｏｄｅ）を有し、
前記ＳＧＳＮが前記第２のシグナリングコネクションを管理することを特徴とする移動通信方法。
【手続補正２】
【補正対象書類名】明細書
【補正対象項目名】発明の名称
【補正方法】変更
【補正の内容】
【発明の名称】移動通信システム及び移動通信方法
【手続補正３】
【補正対象書類名】明細書
【補正対象項目名】０００１
【補正方法】変更
【補正の内容】
【０００１】
本発明は移動通信システム及び移動通信方法に関し、特に移動通信システムにおいてＭＢＭＳ（Multimedia Broadcast Multicast Service）と呼ばれる高速データ通信に対応したブロードキャストやマルチキャストサービスを提供する際に必要となる、コアネットワークと無線制御装置との間のインタフェースにおけるシグナリングコネクションの構成方式に関するものである。
【手続補正４】
【補正対象書類名】明細書
【補正対象項目名】００１７
【補正方法】変更
【補正の内容】
【００１７】
本発明の目的は、既存のパケット通信サービスと新たなＭＢＭＳサービスとの競合発生をなくした移動通信システム及び移動通信方法を提供することである。
【手続補正５】
【補正対象書類名】明細書
【補正対象項目名】００１８
【補正方法】変更
【補正の内容】
【００１８】
本発明の他の目的は、ＳＧＳＮにおける処理の複雑化をなくした移動動通信システム及び移動通信方法を提供することである。
【手続補正６】
【補正対象書類名】明細書
【補正対象項目名】００１９
【補正方法】変更
【補正の内容】
【００１９】
本発明による移動通信システムは、パケット交換を行うコアネットワークと、無線制御装置とを有し、第１の通信サービスのための第１のシグナリングコネクション及び第２の通信サービスのための第２のシグナリングコネクションが前記コアネットワークと前記無線制御装置との間のインタフェースに設定され、前記第２の通信サービスが前記第１の通信サービスよりも高速であり、前記第２のシグナリングコネクションが前記第１のシグナリングコネクションから区別して設定されることを特徴とする。
【手続補正７】
【補正対象書類名】明細書
【補正対象項目名】００２０
【補正方法】変更
【補正の内容】
【００２０】
本発明による移動通信方法は、パケット交換を行うコアネットワークと、無線制御装置とを有する移動通信システムで使用される移動通信方法であって、第１の通信サービスのための第１のシグナリングコネクションを前記コアネットワークと前記無線制御装置との間のインタフェースに設定する工程と、第２の通信サービスのための第２のシグナリングコネクションを前記第１のシグナリングコネクションから区別して前記インタフェースに設定する工程とを有し、前記第２の通信サービスが前記第１の通信サービスよりも高速であることを特徴とする。
【手続補正８】
【補正対象書類名】明細書
【補正対象項目名】００２１
【補正方法】変更
【補正の内容】
【００２１】
本発明による他の移動通信システムは、パケット交換を行うコアネットワークと、無線制御装置とを有し、第１の通信サービスのための第１のシグナリングコネクション及び第２の通信サービスのための第２のシグナリングコネクションが前記コアネットワークと前記無線制御装置との間のインタフェースに設定され、前記第２の通信サービスが前記第１の通信サービスよりも高速であり、前記コアネットワークが前記無線制御装置に対する前記第２のシグナリングコネクションの確立を要求することを特徴とする。
【手続補正９】
【補正対象書類名】明細書
【補正対象項目名】００２２
【補正方法】変更
【補正の内容】
【００２２】
本発明による更に他の移動通信システムは、パケット交換を行うコアネットワークと、無線制御装置とを有し、第１の通信サービスのための第１のシグナリングコネクション及び第２の通信サービスのための第２のシグナリングコネクションが前記コアネットワークと前記無線制御装置との間のインタフェースに設定され、前記第２の通信サービスが前記第１の通信サービスよりも高速であり、前記コアネットワークがＳＧＳＮ（ｓｅｒｖｉｎｇ  ＧＰＲＳ（ｇｌｏｂａｌ  ｐａｃｋｅｔ  ｒａｄｉｏ  ｓｅｒｖｉｃｅ）ｓｕｐｐｏｒｔ  ｎｏｄｅ）を有し、前記ＳＧＳＮが前記第２のシグナリングコネクションを管理することを特徴とする。
【手続補正１０】
【補正対象書類名】明細書
【補正対象項目名】００２３
【補正方法】変更
【補正の内容】
【００２３】
本発明による他の移動通信方法は、パケット交換を行うコアネットワークと無線制御装置とを有する移動通信システムで使用される移動通信方法であって、第１の通信サービスのための第１のシグナリングコネクションを前記コアネットワークと前記無線制御装置との間のインタフェースに設定する工程と、第２の通信サービスのための第２のシグナリングコネクションを前記インタフェースに設定する工程とを有し、前記第２の通信サービスが前記第１の通信サービスよりも高速であり、前記コアネットワークが前記無線制御装置に対する前記第２のシグナリングコネクションの確立を要求することを特徴とする。
【手続補正１１】
【補正対象書類名】明細書
【補正対象項目名】００２４
【補正方法】変更
【補正の内容】
【００２４】
本発明による更に他の移動通信方法は、パケット交換を行うコアネットワークと無線制御装置とを有する移動通信システムで使用される移動通信方法であって、第１の通信サービスのための第１のシグナリングコネクションを前記コアネットワークと前記無線制御装置との間のインタフェースに設定する工程と、第２の通信サービスのための第２のシグナリングコネクションを前記インタフェースに設定する工程とを有し、前記第２の通信サービスが前記第１の通信サービスよりも高速であり、前記コアネットワークがＳＧＳＮ（ｓｅｒｖｉｎｇ  ＧＰＲＳ（ｇｌｏｂａｌ  ｐａｃｋｅｔ  ｒａｄｉｏ  ｓｅｒｖｉｃｅ）ｓｕｐｐｏｒｔ  ｎｏｄｅ）を有し、前記ＳＧＳＮが前記第２のシグナリングコネクションを管理することを特徴とする。